(57)【特許請求の範囲】
【請求項１】
橋軸方向に配設されるウェブと、そのウェブの上下に配設される上フランジ及び下フランジとを有し支承装置により支持される主桁を備え、縦断勾配が設けられる橋桁において、
前記主桁の橋軸方向と交差して前記主桁の表面に配設される水切り板を備え、
その水切り板は、
形成され前記下フランジの上面の橋軸直角方向に亘って下縁が密着されると共に、前記支承装置より水上側の前記下フランジの上面に起立される下フランジ上面部を備えていることを特徴とする橋桁。
【請求項２】
前記水切り板は、前記下フランジ上面部から橋軸直角方向に延設され前記下フランジの橋軸直角方向に張り出す下フランジ張出部を備えていることを特徴とする請求項１記載の橋桁。
【請求項３】
前記水切り板は、前記ウェブの側面の上下方向に側縁が密着されると共に、前記ウェブの側面に起立されるウェブ側面部を備え、
そのウェブ側面部は、下端が、前記下フランジ上面部の橋軸直角方向内側端部と密着している又は前記下フランジ上面部の橋軸直角方向内側端部より水上側に位置していることを特徴とする請求項１又は２に記載の橋桁。
【請求項４】
前記水切り板は、前記下フランジの下面の橋軸直角方向に亘って上縁が密着されると共に、前記支承装置より水上側の前記下フランジの下面に起立される下フランジ下面部を備えていることを特徴とする請求項１から３のいずれかに記載の橋桁。
【請求項５】
前記下フランジ上面部は、橋軸直角方向内側端部側が橋軸直角方向外側端部側より水上側に位置していることを特徴とする請求項１から４のいずれかに記載の橋桁。
【請求項６】
前記主桁は、橋軸直角方向に複数が並設され床版を支持するものであり、
前記水切り板は、前記床版の橋軸直角方向端部側を支持する主桁に少なくとも配設されていることを特徴とする請求項１から５のいずれかに記載の橋桁。
【請求項７】
前記ウェブ側面部は、上端側が下端側より水下側に位置していることを特徴とする請求項３から６のいずれかに記載の橋桁。
【請求項８】
前記水切り板は、前記上フランジの下面の橋軸直角方向に亘って上縁が密着されると共に、前記上フランジの下面に起立される上フランジ下面部を備え、
その上フランジ下面部は、橋軸直角方向内側端部が前記ウェブ側面部の上端と密着している又は前記下フランジ上面部の直上より水上側に位置していることを特徴とする請求項３から７のいずれかに記載の橋桁。
【発明の詳細な説明】
【技術分野】
【０００１】
本発明は橋桁に関し、特に、支点部近傍の湿潤状態を改善し主桁および支承装置の腐食を抑制できる橋桁に関するものである。
【背景技術】
【０００２】
橋梁の床版を支持する橋桁（鋼構造物）は、腐食が生じると赤錆や黄褐色の浮き錆や流れ錆を生じ景観を損なう。さらに腐食により鋼の肉厚が減少すると、構造物としての強度低下をきたす。特に、支承装置によって支持される主桁の支点部近傍は、橋台や橋脚があるため桁下空間が狭く風通しが悪いばかりか、雨水や結露水、融雪水等（以下「雨水等」と称す）が縦断勾配に沿って流下するため、湿気が滞留して腐食し易い環境にある。そこで、主桁の支点部近傍の腐食し易い部位を、チタン等の耐食性金属薄板で被覆することによって腐食を防ぐ方法が開示されている（特許文献１）。
【先行技術文献】
【特許文献】
【０００３】
【特許文献１】特開２００１−８１５８４号公報
【発明の概要】
【発明が解決しようとする課題】
【０００４】
しかしながら上記従来の技術では、主桁の支点部近傍の広範な部位を耐食性金属薄板で隙間なく被覆しなければならず、隙間があると、そこから耐食性金属薄板と主桁との間に雨水等が浸入する。そうすると耐食性金属薄板と主桁との間が湿潤状態となる。主桁の支点部近傍は耐食性金属薄板に覆われているので、浸入した雨水等が蒸発し難く、耐食性金属薄板と主桁との間の湿潤状態を改善することは困難である。その結果、耐食性金属薄板に覆われた主桁の支点部近傍に腐食が生じるという問題点があった。
【０００５】
また、耐食性金属薄板は主桁を平面的に覆っているので、縦断勾配に沿って流下する雨水等は耐食性金属薄板の表面を伝って橋台や橋脚の上に滞水する。そうすると支点部近傍の桁下空間が湿潤状態となり、橋台や橋脚の上に載置された支承装置に腐食が生じるという問題点があった。
【０００６】
本発明は上述した問題点を解決するためになされたものであり、支点部近傍の湿潤状態を改善し主桁および支承装置の腐食を抑制できる橋桁を提供することを目的とする。
【課題を解決するための手段および発明の効果】
【０００７】
この目的を達成するために請求項１記載の橋桁によれば、橋軸方向に配設されるウェブと、そのウェブの上下に配設される上フランジ及び下フランジとを有し支承装置により支持される主桁を備え、縦断勾配が設けられる橋桁において、主桁の橋軸方向と交差して主桁の表面に水切り板が配設されている。水切り板の一部を構成する下フランジ上面部は、下フランジの上面の橋軸直角方向に亘って下縁が密着されると共に下フランジの上面に起立されているので、縦断勾配に沿って下フランジの上面を流下する雨水等を堰き止めることができる。
【０００８】
下フランジ上面部は、支承装置より水上側の下フランジの上面に配設されているので、堰き止められた雨水等が下フランジ上面部から溢れて桁下に流下（滴下）した場合も、雨水等が支承装置に滞水することが防止される。その結果、支点部近傍の桁下空間の湿潤状態を改善でき、支承装置の腐食を抑制できる効果がある。
【０００９】
また、下フランジ上面部は、下フランジの上面に下縁が密着されると共に起立されているので、下フランジ上面部に滞水した雨水等の蒸発が妨げられることがなく、雨水等は経時的に蒸発し湿度の滞留が防止される。その結果、下フランジの上面の腐食も抑制できる。以上のことから、支点部近傍の湿潤状態を改善し主桁および支承装置の腐食を抑制できる効果がある。
【００１０】
請求項２記載の橋桁によれば、下フランジ上面部に堰き止められた雨水等は、下フランジ上面部から橋軸直角方向に延設され下フランジの橋軸直角方向に張り出す下フランジ張出部を伝って桁下に流下（滴下）される。その結果、下フランジ上面部に堰き止められた雨水等が、下フランジ上面部から回り込んで下フランジの下面に伝わることを抑制でき、下フランジの下面に沿って支点部近傍の桁下空間に雨水等が流下することを抑制できる。これにより請求項１の効果に加え、下フランジの下面に錆等の汚れが付着することを防止できると共に、支点部近傍の桁下空間の湿潤状態をさらに改善できる効果がある。
【００１１】
請求項３記載の橋桁によれば、ウェブの側面の上下方向に側縁が密着されると共にウェブの側面に起立されるウェブ側面部により、ウェブの側面に沿う橋軸方向への雨水等の流れを遮ることができ、その雨水等を下方に流下させることができる。ウェブ側面部に沿って流下した雨水等は、ウェブ側面部の下端から下フランジの上面に到達し、下フランジ上面部の橋軸直角方向内側端部に遮られて下フランジ上面部に滞水する。以上のようにウェブ側面部を備えているので、ウェブの側面に沿って橋軸方向へ流れる雨水等が支点部近傍に到達することを防止でき、請求項１又は２の効果に加え、支点部近傍の桁下空間の湿潤状態をさらに改善できる効果がある。
【００１２】
請求項４記載の橋桁によれば、下フランジの下面の橋軸直角方向に亘って上縁が密着される下フランジ下面部により、縦断勾配に沿って下フランジの下面を流下する雨水等を堰き止めることができる。下フランジ下面部は支承装置より水上側の下フランジの下面に起立されているので、下フランジ下面部に堰き止められた雨水等は、下フランジ下面部に沿って支承装置より水上側に滴下される。以上のように下フランジの下面を縦断勾配に沿って流下する雨水等が支点部近傍に達することが防止されるので、請求項１から３のいずれかの効果に加え、支点部近傍の桁下空間の湿潤状態をさらに改善できる効果がある。
【００１３】
請求項５記載の橋桁によれば、下フランジ上面部に堰き止められた雨水等は、橋軸直角方向外側端部側より水上側に位置する橋軸直角方向内側端部側から橋軸直角方向外側端部側へと流れ、下フランジ上面部から排水される。その結果、下フランジ上面部の橋軸直角方向内側端部側に雨水等が滞留することが防止される。これにより請求項１から４のいずれかの効果に加え、下フランジ上面部の湿潤状態が持続することを防止でき、主桁の腐食を抑制できる効果がある。
【００１４】
請求項６記載の橋桁によれば、橋軸直角方向に複数が並設される主桁により床版が支持されるため、床版の橋軸直角方向中央を支持する主桁は、床版の橋軸直角方向端部側を支持する主桁や床版の影になるため、雨水等が遮られる。一方、床版の橋軸直角方向端部側を支持する主桁は、床版の橋軸直角方向中央を支持する主桁に比べて雨水等に曝され易いため、主桁に沿って流下する雨水等により支点部近傍が湿潤状態になり易い。そのため、床版の橋軸直角方向端部側を支持する主桁に少なくとも水切り板を配設することで、全ての主桁に水切り板を配設した場合の効果と同等の効果を実現できる。これにより請求項１から５のいずれかの効果に加え、水切り板を配設する工数を削減することができ、支点部近傍の湿潤状態を効果的に改善できる効果がある。
【００１５】
請求項７記載の橋桁によれば、ウェブ側面部は上端側が下端側より水下側に位置しているので、ウェブ側面部の上端側が下端側の直上に位置する場合や、ウェブ側面部の上端側が下端側の水上側に位置する場合と比較して、ウェブの側面のうちウェブ側面部に対して水下となる面積を狭くし、水上となる面積を広くできる。そのため、ウェブ側面部の上端側が下端側の直上に位置する場合や、ウェブ側面部の上端側が下端側の水上側に位置する場合と比較して、ウェブの側面に降り注ぐ雨水のウェブ側面部で遮断できる水量を多くすることができる。これにより請求項３から６のいずれかの効果に加え、ウェブの側面を下側乃至は水下側に流れ伝う雨水を遮断し、支点部近傍の桁下空間の湿潤状態をさらに改善できる効果がある。
【００１６】
請求項８記載の橋桁によれば、上フランジの下面の橋軸直角方向に亘って上縁が密着される上フランジ下面部により、縦断勾配に沿って上フランジの下面を流下する雨水等を堰き止めることができる。上フランジ下面部の橋軸直角方向内側端部がウェブ側面部の上端と密着していると、上フランジ下面部の橋軸直角方向内側端部からウェブ側面部の上端へ雨水等を流れ伝わせることができる。また、上フランジ下面部が下フランジ上面部の直上より水上側に位置していると、下フランジ上面部により、上フランジ下面部から下フランジの上面に滴下した雨水等の流下を阻止することができる。これにより請求項３から７のいずれかの効果に加え、上フランジの下面を流下する雨水等を上フランジ下面部で遮断し、支点部近傍の主桁の湿潤状態を改善できる効果がある。
【図面の簡単な説明】
【００１７】
【図１】（ａ）は第１実施の形態における橋桁の橋軸直角方向における断面図であり、（ｂ）は図１（ａ）のＩｂで示す部分を拡大した主桁の橋軸直角方向における断面図である。
【図２】橋軸直角方向から見た橋桁の支点部近傍の側面図である。
【図３】主桁の支点部近傍の斜視図である。
【図４】（ａ）は第２実施の形態における橋桁の橋軸直角方向における断面図であり、（ｂ）は図４（ａ）のＩＶｂで示す部分を拡大した主桁の橋軸直角方向における断面図である。
【図５】橋軸直角方向から見た橋桁の支点部近傍の側面図である。
【発明を実施するための形態】
【００１８】
以下、本発明の好ましい実施の形態について、添付図面を参照して説明する。図１（ａ）は第１実施の形態における橋桁１の橋軸直角方向における断面図であり、図１（ｂ）は図１（ａ）のＩｂで示す部分を拡大した主桁３の橋軸直角方向における断面図である。なお、図１（ｂ）ではウェブ３ａの上下方向中央の図示を省略している。
【００１９】
図１（ａ）に示すように橋桁1は床版Ｄを支持する部材であり、橋軸方向（図１（ａ）紙面垂直方向）に沿って平行に配設される複数の主桁２，３と、主桁３の表面に配設される水切り板１０とを備えている。主桁２，３は橋軸方向に沿って配設されるウェブ２ａ，３ａと、そのウェブ２ａ，３ａの上下に配設される上フランジ２ｂ，３ｂ及び下フランジ２ｃ，３ｃとを備えて構成されている。
【００２０】
本実施の形態では、主桁２，３は、上フランジ２ｂ，３ｂ及び下フランジ２ｃ，３ｃを溶接によりウェブ２ａ，３ａに接合することで形成され、橋軸直角方向（図１（ａ）左右方向）に４本並設されている。水切り板１０は、主桁２，３の内、橋軸直角方向内側に位置する２本の主桁２を除き、橋軸直角方向外側に位置する２本の主桁３のウェブ３ａ、上フランジ３ｂ及び下フランジ３ｃに、溶接により接合されている。また、主桁２，３及び水切り板１０は耐候性鋼材により製造されている。
【００２１】
耐候性鋼材は、屋外において腐食に対して保護性のある錆（以下「安定錆」と称す）を表面に形成し得る鋼材を指し、例えば、ＪＩＳ  Ｇ３１１４に規定される溶接構造用耐候性熱間圧延鋼材およびＪＩＳ  Ｇ３１２５に規定される高耐候性圧延鋼材を挙げることができる。なお、ＪＩＳに規定される耐候性鋼材の他、安定錆を形成し得る鋼材等を含む。
【００２２】
図１（ｂ）に示すように水切り板１０は、主桁３の橋軸方向（図１（ｂ）紙面垂直方向）と交差する複数の部位、即ち下フランジ上面部１１，１２、下フランジ張出部１３，１４、下フランジ下面部１５，１６、ウェブ側面部１７及び上フランジ下面部１８を備えている。
【００２３】
なお、本実施の形態では、下フランジ上面部１１，１２、下フランジ張出部１３，１４、下フランジ下面部１５，１６、ウェブ側面部１７、上フランジ下面部１８は、耐候性鋼材製の３０〜１００ｍｍ幅の板材により製造されている。ウェブ３ａや上フランジ３ｂ、下フランジ３ｃの寸法に合わせて板材を所定の長さに切断し、それらをウェブ３ａや上フランジ３ｂ、下フランジ３ｃの表面に溶接することで、水切り板１０を容易に製造できる。水切り板１０を構成する板材が隣接する箇所（継ぎ目）は、突合せ溶接または隅肉溶接により隙間なく接合される。これにより板材の継ぎ目から雨水等が漏れることを防止し、主桁３の表面に沿う雨水等の流下を阻止できる。
【００２４】
次に図１（ｂ）から図３を参照して、橋桁１の詳細構造について説明する。図２は橋軸直角方向から見た橋桁１の支点部近傍の側面図であり、図３は主桁３の支点部近傍の斜視図である。なお、図２及び図３では橋桁１（主桁３）の長手方向の図示を省略している。また、図３は簡略化して理解を容易にするため垂直補剛材４の図示を省略している。
【００２５】
図２に示すように、橋桁１は橋脚２０に設置された支承装置２１により支持され、縦断勾配（図２左側が水上、図２右側が水下）が設けられている。また、ウェブ３ａ、上フランジ３ｂ及び下フランジ３ｃの支点部近傍には、鉛直方向に延びる垂直補剛材４が溶接されている。
【００２６】
下フランジ上面部１１，１２は、下フランジ３ｃの上面を縦断勾配に沿って流下する雨水等を遮断するための部位であり、図１（ｂ）に示すように、下フランジ３ｃの上面の橋軸直角方向に亘って下縁１１ａ，１２ａが密着されている。また図２及び図３に示すように、下フランジ上面部１１，１２は、支承装置２１より水上側の下フランジ３ｃの上面に起立されている。これにより、縦断勾配に沿って下フランジ３ｃの上面を流下する雨水等を堰き止めることができる。
【００２７】
また、下フランジ上面部１１，１２は、支承装置２１より水上側の下フランジ３ｃの上面に起立されているので、堰き止められた雨水等が下フランジ上面部１１，１２から溢れて桁下に流下（滴下）した場合も、雨水等が支承装置２１及びその付近に滞水することが防止される。その結果、支点部近傍の桁下空間の湿潤状態を改善でき、支承装置２１の腐食を抑制できる。
【００２８】
また、下フランジ上面部１１，１２は、下フランジ３ｃの上面に下縁１１ａ，１２ａが密着されると共に起立されているので、下フランジ上面部１１，１２に滞水した雨水等の蒸発が妨げられることがなく、雨水等は経時的に蒸発し湿度の滞留が防止される。その結果、下フランジ３ｃの上面の腐食も抑制できる。
【００２９】
また、本実施の形態では、図３に示すように、下フランジ上面部１１，１２は、橋軸直角方向内側端部１１ｂ，１２ｂが橋軸直角方向外側端部１１ｃ，１２ｃより水上側に位置している。これにより、下フランジ上面部１１，１２に堰き止められた雨水等は、橋軸直角方向内側端部１１ｂ，１２ｂ側から橋軸直角方向外側端部１１ｃ，１２ｃ側へと流れ、下フランジ上面部１１，１２から排水される。その結果、下フランジ上面部１１，１２の橋軸直角方向内側端部１１ｂ，１２ｂ側に雨水等が滞留することが防止される。これにより、下フランジ上面部１１，１２の湿潤状態が持続することを防止でき、主桁３の腐食を抑制できる。
【００３０】
下フランジ張出部１３，１４は、下フランジ上面部１１，１２により流下が遮断された雨水等を桁下に流下（滴下）させるための部位であり、図１（ｂ）に示すように、下フランジ上面部１１，１２から橋軸直角方向に延設され下フランジ３ｃの橋軸直角方向に張り出している。これにより、下フランジ上面部１１，１２に堰き止められた雨水等は、下フランジ上面部１１，１２から下フランジ張出部１３，１４を伝って桁下に流下（滴下）される。その結果、下フランジ上面部１１，１２に堰き止められた雨水等が、下フランジ上面部１１，１２から回り込んで下フランジ３ｃの下面に伝わることを抑制でき、下フランジ３ｃの下面に沿って支点部近傍の桁下空間に雨水等が流下することを抑制できる。これにより、下フランジ３ｃの下面に錆等の汚れが付着することを防止できると共に、支点部近傍の桁下空間の湿潤状態をさらに改善できる。
【００３１】
なお、本実施の形態では、下フランジ張出部１３，１４は下部が下フランジ３ｃの下面を越えて下方に垂下されている。これにより、下フランジ上面部１１，１２に堰き止められた雨水等を、下フランジ張出部１３，１４から下フランジ３ｃの下方に導き、下フランジ張出部１３，１４の下部から流下させることができる。これにより、下フランジ上面部１１，１２から下フランジ３ｃの下面に雨水等が回り込まないようにできる効果を向上できる。
【００３２】
下フランジ下面部１５，１６は、下フランジ３ｃの下面を縦断勾配に沿って流下する雨水等を遮断するための部位であり、図１（ｂ）に示すように、下フランジ３ｃの下面の橋軸直角方向に亘って上縁１５ａ，１６ａが密着されている。また図２に示すように、下フランジ下面部１５，１６は、支承装置２１より水上側の下フランジ３ｃの下面に起立されている。これにより、縦断勾配に沿って下フランジ３ｃの下面を流下する雨水等を堰き止めることができる。
【００３３】
また、下フランジ下面部１５，１６は、支承装置２１より水上側の下フランジ３ｃの下面に起立されているので、堰き止められた雨水等が下フランジ下面部１５，１６を伝って桁下に流下（滴下）した場合も、雨水等が支承装置２１及びその付近に滞水することが防止される。その結果、支点部近傍の桁下空間の湿潤状態を改善でき、支承装置２１の腐食を抑制できる。
【００３４】
また、下フランジ下面部１５，１６は、下フランジ３ｃの下面に上縁１５ａ，１６ａが密着されると共に、下フランジ３ｃの下面に起立されているので、下フランジ下面部１５，１６に滞水した雨水等の滞留が抑制され、下フランジ３ｃの下面の腐食を抑制できる。
【００３５】
また、図３に示すように、下フランジ下面部１５，１６は橋軸直角方向中央１５ｂ，１６ｂが橋軸直角方向縁端１５ｃ，１６ｃより水上側に位置しているので、橋軸直角方向中央１５ｂ，１６ｂ及び橋軸直角方向縁端１５ｃ，１６ｃが橋軸直角方向の直線上に横並びで位置する場合と比較して、橋軸直角方向中央１５ｂ，１６ｂから支承装置２１までの距離を長くできる。橋軸直角方向中央１５ｂ，１６ｂから支承装置２１までの距離を確保することで、下フランジ下面部１５，１６を伝って桁下に流下（滴下）する雨水等が支承装置２１及びその付近に滞水しないようにできる効果を向上できる。
【００３６】
ウェブ側面部１７は、ウェブ３ａの側面を流下する雨水等を遮断するための部位であり、図１（ｂ）に示すように、ウェブ３ａの側面の上下方向に亘って側縁１７ａが密着されると共に、ウェブ３ａの側面に起立されている。また図３に示すように、ウェブ側面部１７は、下端１７ｂが下フランジ上面部１１の橋軸直角方向内側端部１１ｂと密着されているので、ウェブ３ａの側面に沿う橋軸方向への雨水等の流れを遮ることができ、その雨水等を下方に流下させることができる。
【００３７】
ウェブ側面部１７に沿って流下した雨水等は、ウェブ側面部１７の下端１７ｂから下フランジ３ｃの上面に到達し、下フランジ上面部１１に遮られて橋軸方向への流下が阻止される。これにより、ウェブ３ａの側面に沿って橋軸方向へ流れる雨水等が支点部近傍に到達することを防止でき、支点部近傍の桁下空間の湿潤状態をさらに改善できる。
【００３８】
また、図２及び図３に示すように、ウェブ側面部１７は、下フランジ上面部１１の橋軸直角方向内側端部１１ｂから直上に延びる鉛直線ｖに沿わせるのでなく、垂直補剛材４との干渉を避けつつ上端１７ｃ側が下端１７ｂ側より水下側に位置している。これにより、ウェブ側面部１７の上端１７ｃ側が下端１７ｂ側の直上に位置する場合や、ウェブ側面部１７の上端１７ｃ側が下端１７ｂ側の水上側に位置する場合と比較して、ウェブ３ａの側面のうちウェブ側面部１７に対して水下となる面積を狭くし、水上となる部位３ａ１の面積を広くできる。
【００３９】
そのため、ウェブ側面部１７の上端１７ｃ側が下端１７ｂ側の直上に位置する場合や、ウェブ側面部１７の上端１７ｃ側が下端１７ｂ側の水上側に位置する場合と比較して、ウェブ側面部１７で遮断できる雨水の水量を多くすることができる。これによりウェブ３ａの側面を下側乃至は水下側に流れ伝う雨水を遮断し、支点部近傍の桁下空間の湿潤状態をさらに改善できる。
【００４０】
上フランジ下面部１８は、上フランジ３ｂの下面を縦断勾配に沿って流下する雨水等を遮断するための部位であり、図１（ｂ）に示すように、上フランジ３ｂの下面の橋軸直角方向に亘って上縁１８ａが密着されると共に、上フランジ３ｂの下面に起立されている。また図３に示すように、上フランジ下面部１８は、橋軸直角方向内側端部１８ｂがウェブ側面部１７の上端１７ｃと密着しているので、上フランジ下面部１８の橋軸直角方向内側端部１８ｂからウェブ側面部１７の上端１７ｃへ雨水等を流れ伝わせることができる。これにより上フランジ３ｂの下面を流下する雨水等を上フランジ下面部１８で遮断し、支点部近傍の主桁の湿潤状態を改善できる。
【００４１】
ここで、橋桁１は橋軸直角方向に複数が並設される主桁２，３を備え（図１（ａ）参照）、それら主桁２，３により床版Ｄが支持されている。床版Ｄの橋軸直角方向中央を支持する主桁２は、床版Ｄの橋軸直角方向端部側を支持する主桁３や床版Ｄの影になり、雨水等が遮られる。一方、床版Ｄの橋軸直角方向端部側を支持する主桁３は、床版Ｄの橋軸直角方向中央を支持する主桁２に比べて雨水等に曝され易いため、主桁３に沿って流下する雨水等により支点部近傍が湿潤状態になり易い。
【００４２】
本実施の形態によれば、図１（ａ）に示すように、床版Ｄの橋軸直角方向端部側（図１（ａ）左右両側）を支持する主桁３に選択的に水切り板１０が配設されているので、全ての主桁２，３に水切り板１０を配設する場合と比較して、橋桁１に水切り板１０を配設する工数を削減できる。また、雨水等に曝され易い主桁３に、選択的に水切り板１０が配設されているので、その主桁３の支点部近傍の湿潤状態を効果的に改善できる。
【００４３】
また図１（ｂ）に示すように、主桁３に配設されるウェブ側面部１７及び上フランジ下面部１８は、ウェブ３ａ及び上フランジ３ｂの橋軸直角方向外側（図１（ｂ）左側）に配設される一方、橋軸直角方向内側（図１（ｂ）右側）が省略されている。雨水等に曝されるウェブ３ａ及び上フランジ３ｂの橋軸直角方向外側にウェブ側面部１７及び上フランジ下面部１８を配設することにより、支点部近傍の湿潤状態の改善効果を大きくできる。なお、雨水等に曝され難い下フランジ３ｃの橋軸直角方向内側に下フランジ上面部１２及び下フランジ張出部１４を配設することにより、風に乗って橋軸直角方向内側に回りこんだ雨水や、ウェブ３ａの橋軸直角方向内側に生じた結露水が下フランジ３ｃの上面を流下することを阻止できる。
【００４４】
以上のように構成される橋桁１によれば、主桁３に水切り板１０を配設する簡単な構成で支点部近傍の湿潤状態を改善することができ、主桁３及び支承装置２１の腐食を抑制できる。主桁３の腐食を抑制できるので、安定錆が生じるまでに浮き錆や流れ錆が耐候性鋼材に発生することを抑制し、橋桁１を美麗に保つことができる。これにより橋桁１が架設された付近の景観が損なわれることを防止できる。さらに支承装置２１の腐食を抑制することで、下部構造を含む橋梁の耐久性を向上できる。
【００４５】
次に図４及び図５を参照して第２実施の形態について説明する。第１実施の形態では、横断面Ｉ型の主桁２，３により橋桁１が構成される場合について説明した。これに対し第２実施の形態では、主桁１０２が箱桁により形成され、複数の箱桁により橋桁１０１が構成される場合について説明する。なお、第１実施の形態と同一の部分は、同一の符号を付して以下の説明を省略する。図４（ａ）は第２実施の形態における橋桁１０１の橋軸直角方向における断面図であり、図４（ｂ）は図４（ａ）のＩＶｂで示す部分を拡大した主桁１０２の橋軸直角方向における断面図であり、図５は橋軸直角方向から見た橋桁１０１の支点部近傍の側面図である。
【００４６】
図４（ａ）に示すように、橋桁１０１は、箱桁により主桁１０２が形成され、床版Ｄを支持している。図４（ｂ）に示すように、主桁１０２は橋軸方向に沿って配設されるウェブ１０２ａ，１０２ｂと、そのウェブ１０２ａ，１０２ｂの上下に配設される上フランジ１０２ｃ及び下フランジ１０２ｄとを備えている。
【００４７】
水切り板１１０は、主桁１０２の橋軸方向（図４（ｂ）紙面垂直方向）と交差しつつ主桁１０２の表面に縁部が密着する複数の部位、即ち下フランジ上面部１１１，１１２、下フランジ張出部１１３，１１４、下フランジ下面部１１５，１１６及びウェブ側面部１１７を備えている。図５に示すように、橋桁１０１は橋台２２に設置された支承装置２３により支持され、縦断勾配（図５左側が水上、図５右側が水下）が設けられている。
【００４８】
図４（ｂ）に示すように、下フランジ上面部１１１，１１２は、下フランジ１０２ｄの上面の橋軸直角方向に亘って縁部が密着されている。また図５に示すように、下フランジ上面部１１１，１１２は、支承装置２３より水上側の下フランジ１０２ｄの上面に起立されているので、縦断勾配に沿って下フランジ１０２ｄの上面を流下する雨水等を堰き止めることができる。下フランジ上面部１１１，１１２により堰き止められた雨水等は、下フランジ張出部１１３，１１４を伝って桁下に流下（滴下）される。また、下フランジ１０２ｄの下面を縦断勾配に沿って流下する雨水等は、下フランジ下面部１１５，１１６により遮断され、雨水等が支承装置２３及びその付近に滞水することが防止される。さらにウェブ１０２ａの側面を流下する雨水等は、ウェブ側面部１１７により遮断される。
【００４９】
以上のように構成される橋桁１０１によれば、第１実施の形態と同様の効果を実現できる。また、図４（ｂ）に示すように下フランジ上面部１１１とウェブ側面部１１７とを一の板材で形成しているので、水切り板１１０を構成する部材の数を削減でき、水切り板１１０を主桁１０２に配設する工数を削減できる。また、下フランジ下面部１１５，１１６が複数の板材を継ぎ合わせて形成されているので、溶接により板材を下フランジ１０２ｄの下面に接合するときに、板材の取り扱いを容易にできる。また、雨水等に曝され難い主桁１０２の橋軸直角方向内側（図４（ｂ）右側）に水入り板１１０（ウェブ側面部）が省略されているので、水切り板１１０を配設する工数を削減できる。
【００５０】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、主桁２，３，１０２の数は橋桁１，１０１の大きさ等に応じて適宜設定することが可能である。
【００５１】
上記各実施の形態では、主桁２，３，１０２が耐候性鋼材により製造されている場合について説明したが、必ずしもこれに限られるものではなく、橋桁の素材として用いられる他の金属材料により製造されたものを採用することは当然可能である。また、耐候性鋼材は塗装されたもの、無塗装のもの、いずれも採用することが可能である。
【００５２】
また、上記各実施の形態では、水切り板１０，１１０が耐候性鋼材により製造されている場合について説明したが、必ずしもこれに限られるものではなく、他の素材により製造することは当然可能である。他の素材としては、例えば、主桁２，３，１０２の素材と同程度の金属材料、ゴム材料、合成樹脂材料等が挙げられる。
【００５３】
上記各実施の形態では、水切り板１０，１１０を主桁２，３，１０２へ溶接により接合する場合について説明したが、必ずしもこれに限られるものではなく、水切り板１０，１１０の材質等に応じて、他の方法により接合することは当然可能である。他の方法としては、例えば、ボルト及びナット等の締結部材により締結する方法、接着剤等により接着する方法、嵌着する方法等が挙げられる。これらの方法により水切り板１０，１１０を接合するときは、主桁３，１０２の表面と水切り板１０，１１０の縁部とを密着させるように、必要に応じてシール材を設ける。
【００５４】
上記第１実施の形態では、ウェブ側面部１７の下端１７ｂが下フランジ上面部１１の橋軸直角方向内側端部１１ｂと密着している場合について説明したが、必ずしもこれに限られるものではない。ウェブ側面部１７の下端１７ｂは、下フランジ上面部１１の橋軸直角方向内側端部１１ｂより水上側に位置していれば良い。ウェブ側面部１７を伝って下フランジ３ｃの上面に流下した雨水等を下フランジ上面部１１で堰き止められるからである。
【００５５】
上記第１実施の形態では、下フランジ下面部１５，１６の橋軸直角方向外側端部１５ｃ，１６ｃが下フランジ張出部１３，１４に密着される場合について説明したが、必ずしもこれに限られるものではなく、下フランジ下面部１５，１６は下フランジ３ｃの任意の位置に配設することが可能である。但し、下フランジ下面部１５，１６は、下フランジ張出部１３，１４より水下側に橋軸直角方向外側端部１５ｃ，１６ｃが位置していることが好ましい。下フランジ張出部１３，１４から下フランジ３ｃの下面に雨水等が伝わった場合に、縦断勾配に沿う雨水等の流下を下フランジ下面部１５，１６で遮断できるからである。
【００５６】
上記第１実施の形態では、上フランジ下面部１８の橋軸直角方向内側端部１８ｂがウェブ側面部１７の上端１７ｃと密着される場合について説明したが、必ずしもこれに限られるものではない。上フランジ下面部１８は、下フランジ上面部１１の直上より水上側に位置していれば良い。上フランジ下面部１８から下フランジ３ｃの上面に滴下した雨水等を下フランジ上面部１１で堰き止められるからである。
【００５７】
上記各実施の形態では、水切り板１０，１１０を構成する各板材が直線状に形成される場合について説明したが、必ずしもこれに限られるものではなく、湾曲状に形成された板材を用いて水切り板を構成することは当然可能である。
【００５８】
上記各実施の形態のいずれかの一部または全部を他の実施の形態の一部または全部と組み合わせても良い。また、上記各実施の形態のうちの一部の構成を省略しても良い。例えば、下フランジ下面部１５，１６，１１５，１１６や上フランジ下面部１８を省略したり、下フランジ上面部１２，１１２及び下フランジ張出部１４，１１４を省略したりすることは可能である。
【符号の説明】
【００５９】
１，１０１                          橋桁
２，３，１０２                      主桁
３ａ，１０２ａ，１０２ｂ            ウェブ
３ｂ，１０２ｃ                      上フランジ
３ｃ，１０２ｄ                      下フランジ
１０，１１０                        水切り板
１１，１２，１１１，１１２          下フランジ上面部
１１ａ，１２ａ，１１１ａ，１１２ａ  下縁
１１ｂ，１２ｂ                      橋軸直角方向内側端部
１１ｃ，１２ｃ                      橋軸直角方向外側端部
１３，１４，１１３，１１４          下フランジ張出部
１５，１６，１１５，１１６          下フランジ下面部
１５ａ，１６ａ，１１５ａ，１１６ａ  上縁
１７，１１７                        ウェブ側面部
１７ａ，１１７ａ                    側縁
１７ｂ                              下端
１７ｃ                              上端
１８                                上フランジ下面部
１８ａ                              上縁
１８ｂ                              橋軸直角方向内側端部
２１，２３                          支承装置
Ｄ                                  床版
【図１】
0005255095.tif 000002
【図２】
0005255095.tif 000003
【図３】
0005255095.tif 000004
【図４】
0005255095.tif 000005
【図５】
0005255095.tif 000006